(57)【要約】      （修正有）【課題】サイドレールを変更することなく、支持部の高さを変更することができるベッドフレームを提供する。【解決手段】ヘッドボード２０と、左右のサイドレール４０１、４０２（４０）と、サイドレールをヘッドボードに取り付けるための取付部材５０と、サイドレールを支持する支持脚部材７０と、を備える。ヘッドボードは、取付部材を固定することが可能な第１固定部と、第１固定部よりも下方に設けられて取付部材を固定することが可能な第２固定部２８と、を有する。支持脚部材は、サイドレールに取り付けられる第２脚部材７２と、第２脚部材の下側に着脱可能に取り付けられる第１脚部材７１と、を有する。取付部材が第１固定部に取り付けられ、支持脚部材が第１脚部材と第２脚部材とによって構成されている場合、サイドレールは第１高さ位置にある。取付部材が第２固定部に取り付けられ、支持脚部材が第２脚部材によって構成されている場合、サイドレールは第２高さ位置にある。【選択図】図１
0003197393.tif 000002
【実用新案登録請求の範囲】
【請求項１】
ヘッドボードと、
前記ヘッドボードの左右両端部から直角方向へ延びるように設けられマットレスを支持する支持部を有する左右のサイドレールと、
前記サイドレールを前記ヘッドボードに取り付けるための取付部材と、
前記サイドレールを支持する支持脚部材と、を備え、
前記ヘッドボードは、前記取付部材を固定することが可能な第１固定部と、前記第１固定部よりも下方に設けられて前記取付部材を固定することが可能な第２固定部と、を有し、
前記支持脚部材は、前記サイドレールに取り付けられる第２脚部材と、前記第２脚部材の下側に着脱可能に取り付けられる第１脚部材と、を有し、
前記取付部材が前記第１固定部に取り付けられるとともに、前記支持脚部材が前記第１脚部材と前記第２脚部材とによって構成されている場合に、前記サイドレールは第１高さ位置にあり、
前記取付部材が前記第２固定部に取り付けられるとともに、前記支持脚部材が前記第２脚部材によって構成されている場合に、前記サイドレールは前記第１高さ位置よりも低い第２高さ位置にある、
ベッドフレーム。
【請求項２】
前記サイドレールが前記第１高さ位置にある場合に、設置面から前記サイドレールの下端部までの高さ寸法が１００ｍｍ以上である、
請求項１に記載のベッドフレーム。
【考案の詳細な説明】
【技術分野】
【０００１】
本考案の実施形態は、ベッドフレームに関する。
【背景技術】
【０００２】
ベッドフレームは、人の頭部側に位置するヘッドボードと、ヘッドボードに対して直角方向へ延びるように設けられた左右のサイドレールと、を備えている。サイドレールは、床板を支持する支持部を有している。そして、マットレスは、床板の上に載置される。従来、例えば１つのヘッドボードに対して、高さ寸法の異なる２種類のサイドレールを取りつけ可能にすることで、ベッドフレームの設置面から床板までの高さ寸法、すなわち設置面から支持部までの高さ寸法を変更することができるベッドフレームがある。
【０００３】
しかし、このような構成では、設置面から支持部までの高さ寸法を変更するためには、サイドレールそのものを別の種類に変更する必要がある。つまり、ユーザは、設置面から床板までの高さ寸法を変更するために、種類の異なる別のサイドレールを購入等する必要がある。そのため、ユーザは床板から支持部までの高さ寸法を気軽に変更することができず、ユーザにとって不便である。
【先行技術文献】
【特許文献】
【０００４】
【特許文献１】特開２００６−３３４１５６号公報
【考案の概要】
【考案が解決しようとする課題】
【０００５】
そこで、サイドレールを変更することなく、設置面から支持部までの高さ寸法を変更することができるベッドフレームを提供する。
【課題を解決するための手段】
【０００６】
実施形態のベッドフレームは、ヘッドボードと、前記ヘッドボードの左右両端部から直角方向へ延びるように設けられマットレスを支持する支持部を有する左右のサイドレールと、前記サイドレールを前記ヘッドボードに取り付けるための取付部材と、前記サイドレールを支持する支持脚部材と、を備える。前記ヘッドボードは、前記取付部材を固定することが可能な第１固定部と、前記第１固定部よりも下方に設けられて前記取付部材を固定することが可能な第２固定部と、を有する。前記支持脚部材は、前記サイドレールに取り付けられる第２脚部材と、前記第２脚部材の下側に着脱可能に取り付けられる第１脚部材と、を有する。前記取付部材が前記第１固定部に取り付けられるとともに、前記支持脚部材が前記第１脚部材と前記第２脚部材とによって構成されている場合に、前記サイドレールは第１高さ位置にある。前記取付部材が前記第２固定部に取り付けられるとともに、前記支持脚部材が前記第２脚部材によって構成されている場合に、前記サイドレールは前記第１高さ位置よりも低い第２高さ位置にある。
【０００７】
これによれば、取付部材を第１固定部に取り付けるとともに、支持脚部材を第１脚部材と第２脚部材とによって構成することで、サイドレールの高さ位置を第１高さ位置にすることができる。また、取付部材を第２固定部に取り付けるとともに、上記支持脚部材から第２脚部材を取り外すことで、サイドレールの高さ位置を第２高さ位置にすることができる。したがって、サイドレールを変更することなく、サイドレールの高さ寸法つまり設置面から支持部までの高さ寸法を、第１高さ位置と第２高さ位置との間で変更することができる。これにより、ユーザは、床板の高さ寸法を変更するためにサイドレールを新たに購入等する必要がなくなる。その結果、ユーザは、床板の高さ位置を気軽に変更することができるようになり、ユーザの利便性の向上が図られる。
【図面の簡単な説明】
【０００８】
【図１】一実施形態によるベッドフレームの一例を示すもので、サイドレールを第１高さ位置で取り付けた場合のベッドフレームを示す斜視図
【図２】サイドレールを第１高さ位置で取り付けた場合のベッドフレームを示す右側面図
【図３】サイドレールを第１高さ位置で取り付けた場合のベッドフレームを示す正面図
【図４】サイドレールを第２高さ位置で取り付けた場合のベッドフレームを示す斜視図
【図５】サイドレールを第２高さ位置で取り付けた場合のベッドフレームを示す右側面図
【図６】サイドレールを第２高さ位置で取り付けた場合のベッドフレームを示す正面図
【図７】サイドレールを第１高さ位置で取り付けた場合及び第２高さ位置で取り付けた場合で共通するベッドフレームの平面図
【図８】ベッドフレームの分解斜視図
【図９】サイドレールを第１高さ位置で取り付けた場合におけるサイドレール及びヘッドボードの周辺の構成を示す斜視図
【図１０】サイドレールを第１高さ位置で取り付けた場合におけるサイドレール及びフットボードの周辺の構成を示す斜視図
【図１１】サイドレールを第２高さ位置で取り付けた場合におけるサイドレール及びヘッドボードの周辺の構成を示す斜視図
【図１２】サイドレールを第２高さ位置で取り付けた場合におけるサイドレール及びフットボードの周辺の構成を示す斜視図
【図１３】第１脚部材及び第２脚部材の断面図
【考案を実施するための形態】
【０００９】
以下、一実施形態によるベッドフレームについて、図面を参照して説明する。図１又は図４に示すベッドフレーム１０は、ヘッドボート２０、フットボード３０、左側のサイドレール４０１、右側のサイドレール４０２、及び支持脚部材７０を備えている。なお、以下の説明では、ベッドフレーム１０が設置面に設置された状態における重力方向を、ベッドフレーム１０の上下方向とする。また、フットボード３０側をベッドフレーム１０の手前側とし、ヘッドボード２０側をベッドフレーム１０の奥側とする。また、左側のサイドレール４０１側をベッドフレーム１０の左側とし、右側のサイドレール４０２側をベッドフレーム１０の右側とする。また、設置面とは、ベッドフレーム１０が設置された際にヘッドボード２０の下面及び支持脚部材７０の下面が接触する面を意味する。
【００１０】
ベッドフレーム１０は、ヘッドボート２０、フットボード３０、及び左右のサイドレール４０１、４０２によって、矩形の枠状に形成されている。ヘッドボード２０は、使用者の頭部側に設けられる。ヘッドボード２０は、例えば矩形の板状に形成されており、その板状の面がベッドフレーム１０の設置面に対して略垂直となるように設けられている。
【００１１】
本実施形態において、ヘッドボード２０は、いわゆる宮付型であり、第１収納部２１、第２収納部２２、及び第３収納部２３を有している。第１収納部２１及び第２収納部２２は、ヘッドボード２０の左右両側部分に設けられている。第１収納部２１は、ヘッドボード２０の左右両側からヘッドボード２０の左右中央側へ向かって窪むように形成されている。第１収容部２１は、棚板２１１によって上下に区分されている。棚板２１１は、平板状に形成されており、高さ位置の変更や、取り外しが可能である。
【００１２】
第２収容部２２は、ヘッドボード２０の手前側から奥側へ向かって窪むように形成されている。第２収容部２２の前側には、平板状の蓋２２１が設けられている。蓋２２１は、図２及び図５の破線で示すように、第２収容部２２の前側を開閉するものである。第３収容部２３は、左右両側の第２収容部２２の間に設けられている。第３収容部２３は、ヘッドボード２０の手前側から奥側へ向かって窪むように形成されている。第３収容部２３は、手前側へ向かって開放されている。また、第３収容部２３は、固定された棚板２３１によって上下に区分されている。
【００１３】
ヘッドボード２０は、照明２４、コンセント付きスイッチ２５、及びブックストッパー２６を有している。照明２４は、例えばＬＥＤ照明で、第３収納部２３の左右両側に設けられている。コンセント付きスイッチ２５は、第３収納部２３の左右一方側寄りに設けられており、電源を供給するためのコンセントと、照明２４のスイッチとを有している。ブックストッパー２６は、蓋２２１の下端部分から突出するように設けられている。ブックストッパー２６の上部には、例えば本やタブレットＰＣ等の板状の物体を載置することができる。なお、ヘッドボード２０は、上述した宮付型に限られず、第１収納部２１、第２収納部２２、及び第３収納部２３等を有していない、いわゆるフラット型でもよい。
【００１４】
ヘッドボード２０は、ヘッドボード２０の左右両側に２個ずつの第１固定部２７（図４、図８、図９、図１１等参照）及び第２固定部２８（図１、図９、図１１等参照）を有している。第１固定部２７及び第２固定部２８は、例えばヘッドボード２０の手前側の面から奥側へ向かって埋め込まれた同一径の雌ネジである。第１固定部２７及び第２固定部２８は、上下方向に直線状に並んで配置されている。すなわち、ヘッドボード２０の手前側の面の左右両側部分には、それぞれ上下方向へ直線状に並んだ４個の雌ネジが設けられている。そして、４個の雌ネジのうち、上側の２個を第１固定部２７とし、下側の２個を第２固定部２８としている。
【００１５】
この場合、２個の第１固定部２７のそれぞれを区別する場合は、上側のものを第１固定部２７１と称し、下側のものを第１固定部２７２と称する。同様に、２個の第２固定部２８のそれぞれを区別する場合は、上側のものを第２固定部２８１と称し、下側のものを第２固定部２８２と称する。図９及び図１１に示すように、上側の第１固定部２７１と上側の第２固定部２８１との間の距離と、下側の第１固定部２７１と下側の第２固定部２８２との間の距離は、それぞれピッチＰに設定されている。
【００１６】
なお、この場合、第１固定部２７及び第２固定部２８を次のように構成してもよい。すなわち、ヘッドボード２０の手前側の面の左右両側部分に、それぞれ上下方向へ直線状に並んだ、上、中、下の３個の雌ネジを設ける。そして、上の雌ネジを第１固定部２７とし、下の雌ネジを第２固定部２８とし、中間の雌ネジを第１固定部２７と第２固定部２８との共用としてもよい。この場合も、上、中、下の３個の雌ネジの間の距離は、それぞれピッチＰに設定される。
【００１７】
フットボード３０は、図１、図４等に示すように、使用者の脚部側に設けられる。フットボード３０は、例えばヘッドボード２０よりも上下方向の寸法が小さく、左右方向へ延びる矩形の細長い板状に形成されている。フットボード３０は、ヘッドボード２０と対向して設けられている。
【００１８】
左右のサイドレール４０１、４０２は、上下方向の寸法がフットボード３０と同等であり、フットボード３０及びヘッドボード２０に対して直角方向へ延びる矩形の細長い板状に形成されている。左右のサイドレール４０１、４０２は、それぞれヘッドボード２０とフットボード３０との左右両端部に設けられ、ヘッドボード２０とフットボード３０とを繋いでいる。本実施形態の場合、左右のサイドレール４０１、４０２は、左右対称に構成されている。したがって、左右のサイドレール４０１、４０２のいずれかを区別しない場合は、単にサイドレール４０と称する。
【００１９】
左右のサイドレール４０１、４０２の長手方向の中間部分には、これらのサイドレール４０１、４０２間を繋ぐように開き止め部材４１が設けられている。開き止め部材４１は、例えば金属製の線材で構成されており、左右のサイドレール４０１、４０２が離間することを規制している。サイドレール４０は、支持部４２を有している。支持部４２は、サイドレール４０の内側の面、つまりベッドフレーム１０の枠状の内側となる面に設けられている。支持部４２は、角柱状であって、サイドレール４０の長手方向へ沿って設けられている。支持部４２には、図８に示すように、例えば簀子状の床板９０が載置される。そして、図示しないマットレスは、その床板９０の上に載置される。
【００２０】
また、ベッドフレーム１０は、図１、図４、図８等に示すように、取付部材５０と、連結部材６０と、を備えている。取付部材５０は、サイドレール４０をヘッドボード２０に取り付けるためのものである。なお、左側のサイドレール４０１をヘッドボード２０に取り付けるための取付部材５０と、右側のサイドレール４０２をヘッドボード２０に取り付けるための取付部材５０とは、左右対称に構成されている。
【００２１】
取付部材５０は、図９及び図１１に示すように、例えば金属製の板を直角に曲げるようにして形成されており、第１面部５１と第２面部５２とを有している。第１面部５１は、サイドレール４０の内側面に対向する面部、つまりサイドレール４０に対する取付面部である。第１面部５１は、詳細は図示しないが、ボルト等の第１締結部材８１が通される５個の穴部を有している。取付部材５０をサイドレール４０に取り付ける際、第１面部５１は、サイドレール４０の端部の内側面に当てられる。そして、第１締結部材８１は、第１面部５１の穴部に通されてサイドレール４０にねじ込まれる。これにより、取付部材５０は、第１面部５１をサイドレール４０の内側面に当接させた状態で、サイドレール４０に固定される。
【００２２】
第２面部５２は、ヘッドボード２０の手前側の面に対向する面部、つまりヘッドボード２０に対する取付面部である。第２面部５２は、ボルト等の第２締結部材８２が通される２個の長穴部５２１、５２２を有している。長穴部５２１、５２２は、一方の端部が開放された長穴である。２個の長穴部５２１、５２２は、上下に並んで配置されている。この場合、下側の長穴部５２１は、下方へ向かって開放されている。上側の長穴部５２２は、第１面部５１とは反対側の斜め下方へ向かって開放されている。
【００２３】
取付部材５０をサイドレール４０に取り付ける際、第２面部５２は、ヘッドボード２０の手前側の面に当てられる。そして、第２締結部材８２は、第２面部５２の長穴部５２１、５２２に通されてヘッドボード２０の第１固定部２７（図９参照）又は第２固定部２８（図１１参照）のいずれか一方にねじ込まれる。これにより、取付部材５０は、第２面部５２をヘッドボード２０の手前側の面に当接させた状態で、ヘッドボード２０に固定される。つまり、サイドレール４０は、取付部材５０を介して、ヘッドボード２０に取り付けられる。
【００２４】
この場合、取付部材５０が取り付けられたサイドレール４０を、次のようにしてヘッドボード２０に取り付けてもよい。すなわち、第２締結部材８２を、予めヘッドボード２０の第１固定部２７又は第２固定部２８に緩くねじ込んで仮止めしておく。そして、サイドレール４０に取付部材５０を取り付けた状態で、ヘッドボード２０に仮止めされた第２締結部材８２を、第２面部５２の長穴部５２１、５２２の開放部から長穴部５２１、５２２の内側へ差し込むようにする。これにより、サイドレール４０が、ヘッドボード２０に対して位置決めされる。そして、各第２締結部材８２をねじ込み本締めする。これにより、サイドレール４０は、取付部材５０を介して、ヘッドボード２０に取り付けられる。この場合、ヘッドボード２０に対するサイドレール４０の位置決めが容易になるため、作業性が向上する。
【００２５】
図１、図４、図８等に示すように、連結部材６０は、フットボード３０の端部とサイドレール４０の端部とを連結するためのものである。なお、左側のサイドレール４０１とフットボード３０とを連結するための連結部材６０と、右側のサイドレール４０２とフットボード３０とを連結するための連結部材６０とは、左右対称に構成されている。
【００２６】
連結部材６０は、図１０及び図１２に示すように、金属製の板を折り曲げるとともに、一部を溶接等によって接合して構成されている。連結部材６０は、第１面部６１、第２面部６２、及び第３面部６３を有している。この場合、第１面部６１と第３面部６３とは、それぞれ第２面部６２に対して折り曲げられて形成されている。そして、第１面部６１と第３面部６３との隣接する辺部は、相互に溶接されている。これにより、第１面部６１と、第２面部６２と、第３面部６３とが一体に構成されている。
【００２７】
第１面部６１は、サイドレール４０の内側面に対向する面部、つまりサイドレール４０に対する取付面部である。第１面部６１は、詳細は図示しないが、ボルト等の第３締結部材８３が通される５個の穴部を有している。連結部材６０をサイドレール４０に取り付ける際、第１面部６１は、サイドレール４０の端部の内側面に当てられる。そして、第３締結部材８３は、第１面部６１の穴部に通されてサイドレール４０にねじ込まれる。これにより、連結部材６０は、第１面部６１をサイドレール４０の内側面に当接させた状態で、サイドレール４０に固定される。
【００２８】
第２面部６２は、フットボード３０の内側面に対向する面部、つまりフットボード３０に対する取付面部である。第２面部６２は、ボルト等の第４締結部材８４（図８参照）が通される２個の長穴部６２１、６２２を有している。２個の長穴部６２１、６２２は、それぞれ上下方向へ延びた長穴である。また、２個の長穴部６２１、６２２は、上下に並んで形成されている。２個の長穴部６２１、６２２のうち、上側の長穴部６２１の周囲は閉じている。また、下側の長穴部６２２は、その長穴部６２２の上端部分において第１面部６１とは反対側の辺部が開放されている。
【００２９】
連結部材６０をフットボード３０に取り付ける際、第２面部６２は、フットボード３０の内側の面に当てられる。そして、２個の第４締結部材８４が、それぞれ第２面部６２の長穴部６２１、６２２に通されてフットボード３０にねじ込まれる。これにより、連結部材６０は、第２面部６２がフットボード３０の内側の面に当接した状態で、フットボード３０に固定される。つまり、サイドレール４０とフットボード３０とが、連結部材６０を介して相互に連結される。
【００３０】
第３面部６３は、支持脚部材７０の上面に対向する面部、つまり支持脚部材７０に対する取付面部である。第３面部６３は、ボルト等の第５締結部材８５が通される通し穴部６３１を有している。第５締結部材８５は、通し穴部６３１に通されて支持脚部材７０にねじ込まれる。これにより、連結部材６０は、支持脚部材７０に固定される。つまり、サイドレール４０とフットボード３０と支持脚部材７０とが、連結部材６０を介して相互に連結される。
【００３１】
支持脚部材７０は、ベッドフレーム１０を支持するものである。本実施形態の場合、ベッドフレーム１０は、２個の支持脚部材７０を備えている。支持脚部材７０は、フットボード３０とサイドレール４０との接続部分の下側に設けられている。つまり、支持脚部材７０は、ベッドフレーム１０の手前側の角部の下側に設けられている。この場合、ベッドフレーム１０は、ヘッドボード２０と、支持脚部材７０とによって支持されている。また、支持脚部材７０は、フットボード３０及びサイドレール４０の少なくとも一方を支持する。本実施形態の場合、支持脚部材７０は、連結部材６０を介して、フットボード３０及びサイドレール４０の両方を支持している。
【００３２】
支持脚部材７０は、図１０に示すように第１脚部材７１及び第２脚部材７２を組み合わせたもの、又は図１２に示すように第２脚部材７２単体から構成されている。ユーザは、支持脚部材７０を、第１脚部材７１及び第２脚部材７２を組み合わせたもので構成するか、第２脚部材７２単体で構成するかを選択することができる。図１３に示すように、第１脚部材７１と第２脚部材７２とは、ともに同一径の円柱状に形成されている。第１脚部材７１の高さ寸法Ｌ１つまり長さ寸法Ｌ１は、第２脚部材７２の高さ寸法Ｌ２つまり長さ寸法Ｌ２よりも大きい。この場合、第１脚部材７１の長さ寸法Ｌ１は、第１固定部２７１、２７２と第２固定部２８１、２８２との間のピッチＰにほぼ等しい。
【００３３】
図１０及び図１３に示すように、第１脚部材７１は、締結部７１１を有している。締結部７１１は、例えば埋め込み式のボルト等である。締結部７１１は、第１脚部材７１の上面中央部から上方へ突出している。第２脚部材７２は、被締結部７２１を有している。被締結部７２１は、例えば締結部７１１及び第５締結部材８５（図８、図１０、図１２参照）と同一径の雌ネジである。被締結部７２１は、第２脚部材７２の中央部を第２脚部材７２の軸方向へ貫くようにして設けられている。第１脚部材７１の締結部７１１は、第２脚部材７２の下側から被締結部７２１にねじ込まれる。これにより、第１脚部材７１が第２脚部材７２に対して着脱可能に取り付けられる。また、第５締結部材８５は、連結部材６０の通し穴部６３１に通されて、第２脚部材７２の被締結部７２１にねじ込まれる。これにより、第２脚部材７２は、連結部材６０に取り付けられる。すなわち、第２脚部材７２は、連結部材６０を介して、フットボード３０及びサイドレール４０に固定される。
【００３４】
この構成において、ベッドフレーム１０は、サイドレール４０の高さ位置を、第１高さ位置Ｈ１（図１〜図３参照）と第２高さ位置Ｈ２（図４〜図６参照）との間で相互に変更することができる。つまりベッドフレーム１０は、サイドレール４０の支持部４２の高さ位置、換言すれば床板９０の高さ位置を、２つの異なる高さ位置に相互に変更することができる。なお、本実施形態では、ベッドフレーム１０の設置面からサイドレール４０の下端部４０３までの距離を、サイドレール４０の高さ位置Ｈと定義する。
【００３５】
図１〜図３、図９及び図１０に示すように、取付部材５０がヘッドボード２０の第１固定部２７に取り付けられているとともに、支持脚部材７０が第１脚部材７１と第２脚部材７２との組み合わせによって構成されている場合、サイドレール４０の高さ位置Ｈは、第１高さ位置Ｈ１となる。また、図４〜図６、図１１及び図１２に示すように、取付部材５０がヘッドボード２０の第２固定部２８に取り付けられているとともに、支持脚部材７０が第２脚部材７２単体によって構成されている場合、つまり第１脚部材７１が取り外されている場合、サイドレール４０の高さ位置Ｈは、第１高さ位置Ｈ１よりも低い第２高さ位置Ｈ２となる。
【００３６】
ちなみに、サイドレール４０の下端部４０３と、第２脚部材７２の上面７２２（図１０等参照）との高さ位置はほぼ等しい。そのため、図３等に示すように、サイドレール４０の第１高さ位置Ｈ１は、第１脚部材７１の長さ寸法Ｌ１と第２脚部材７２の長さ寸法Ｌ２との合計にほぼ等しい。また、図６に示すように、サイドレール４０の第２高さ位置Ｈ２は、第２脚部材７２の長さ寸法Ｌ２にほぼ等しい。本実施形態の場合、第１脚部材７１の長さ寸法Ｌ１は８０ｍｍ、第２脚部材７２の長さ寸法Ｌ２は３５ｍｍに設定されている。したがって、サイドレール４０の第１高さ位置Ｈ１は１１５ｍｍ、第２高さ位置Ｈ２は８０ｍｍとなる。この場合、第１固定部２７１、２７２と第２固定部２８１、２８２との間のピッチＰも、第１脚部材７１の長さ寸法Ｌ１と同様に８０ｍｍに設定されている。
【００３７】
ここで、サイドレール４０の第１高さ位置Ｈ１（１１５ｍｍ）は、現在市場に流通している自律走行型掃除機いわゆるロボットクリーナーの多くが、サイドレール４０の下方を通過することができる高さ寸法である。すなわち、現在市場に流通しているロボットクリーナーの高さ寸法を調べたところ、Ａ社は８６ｍｍ、Ｂ社は８７ｍｍ、Ｃ社は９２ｍｍ、Ｄ社は９７ｍｍ、そしてＥ社は９９ｍｍであった。
【００３８】
このように、サイドレール４０の第１高さ位置Ｈ１は１００ｍｍ以上、この場合１１５ｍｍに設定されている。そのため、サイドレール４０が第１高さ位置Ｈ１で取り付けられている場合には、多くのロボットクリーナーが、サイドレール４０の下方を通過することができる。また、本実施形態では、設置面からサイドレール４０の下端部４０３までの高さ寸法と、設置面からフットボード３０の下端部３０１とまでの高さ寸法とは、ほぼ等しい。そのため、サイドレール４０が第１高さ位置Ｈ１にある場合には、設置面からフットボード３０の下端部までの高さ寸法は１００ｍｍ以上、この場合１１５ｍｍになる。したがって、多くのロボットクリーナーが、フットボード３０の下方も通過することができる。
【００３９】
以上の構成によれば、ベッドフレーム１０は、サイドレール４０を変更することなく、サイドレール４０の高さ位置Ｈつまり設置面から支持部４２までの高さ寸法、換言すれば床板９０の高さ位置を変更することができる。これにより、ユーザは、床板９０の高さ寸法を変更するためにサイドレール４０を新たに購入等する必要がなくなる。その結果、ユーザは、床板９０の高さ位置を気軽に変更することができるようになり、ユーザの利便性の向上が図られる。
【００４０】
また、サイドレール４０の第１高さ位置Ｈ１は、１００ｍｍ以上に設定されている。これにより、ロボットクリーナーの多くが、サイドレール４０又はフットボード３０の下方を通過することができる。したがって、サイドレール４０の取り付けを第１高さ位置Ｈ１にした場合には、多くのロボットクリーナーがベッドフレーム１０の内側に入り込んで掃除することができる。その結果、ユーザの利便性の更なる向上が図られる。
【００４１】
なお、本考案は、上述した実施形態に限定されるものではなく、その要旨を逸脱しない範囲で様々な拡張、変更が可能である。
例えば支持脚部材７０は、上記実施形態のように２個に分割可能な構成に限られず、３個以上に分割可能であってもよい。この場合、支持脚部材７０の分割数に合わせて、ヘッドボード２０の固定部２７、２８に相当する構成を設ければ良い。
また、取付部材５０及び連結部材６０は、金属製のものに限られず、例えば樹脂の成型品であっても良い。
フットボード３０に、ヘッドボード２０の固定部２７、２８に相当する構成を設けて、フットボード３０に対する取り付け位置を変更可能にしても良い。この場合、支持脚部材７０は不要となる。
【符号の説明】
【００４２】
図面中、１０はベッドフレーム、２０はヘッドボード、２７は第１固定部、２７１は上側の第１固定部、２７２は下側の第１固定部、２８は第２固定部、２８１は上側の第２固定部、２８２は下側の第２固定部、５０は取付部材、７０は支持脚部材、７１は第１脚部材、７２は第２脚部材を示す。
【図１】
0003197393.tif 000003
【図２】
0003197393.tif 000004
【図３】
0003197393.tif 000005
【図４】
0003197393.tif 000006
【図５】
0003197393.tif 000007
【図６】
0003197393.tif 000008
【図７】
0003197393.tif 000009
【図８】
0003197393.tif 000010
【図９】
0003197393.tif 000011
【図１０】
0003197393.tif 000012
【図１１】
0003197393.tif 000013
【図１２】
0003197393.tif 000014
【図１３】
0003197393.tif 000015